(57)【要約】【課題】映像が表示される表示領域の面積が縮小された場合でも、再度、注目すべき映像となったときに、注目度が高い映像としてユーザに認識させる。【解決手段】実施形態のテレビ会議装置は、映像情報を取得するカメラと、音声情報を取得するマイクと、音声情報が付加された映像情報を他のテレビ会議装置に送信し、表示部に表示される表示情報に含まれる複数の表示領域それぞれに表示される、音声情報が付加された映像情報を、他のテレビ会議装置から受信する通信部と、表示情報に含まれる複数の表示領域のレイアウトを変更する変更部と、音声情報から音量を示す音量情報を取得する音量情報取得部と、表示領域の面積が第１閾値以下である表示領域に表示される映像情報に付加された音声情報の音量情報と、表示情報に含まれる複数の表示領域それぞれに表示される映像情報と、を表示部に表示する表示制御部と、を備える。【選択図】図３
2016096395.tif 000002
【特許請求の範囲】
【請求項１】
映像情報を取得するカメラと、
音声情報を取得するマイクと、
前記音声情報が付加された前記映像情報を他のテレビ会議装置に送信し、表示部に表示される表示情報に含まれる複数の表示領域それぞれに表示される、前記音声情報が付加された前記映像情報を、前記他のテレビ会議装置から受信する通信部と、
前記表示情報に含まれる複数の表示領域のレイアウトを変更する変更部と、
前記音声情報から音量を示す音量情報を取得する音量情報取得部と、
前記表示領域の面積が第１閾値以下である前記表示領域に表示される前記映像情報に付加された前記音声情報の音量情報と、前記表示情報に含まれる複数の表示領域それぞれに表示される映像情報と、を前記表示部に表示する表示制御部と、
を備えるテレビ会議装置。
【請求項２】
ユーザの視線方向を示す視線情報を取得する視線情報取得部と、
前記表示情報に含まれる複数の表示領域それぞれについて、単位時間当たりに注目された度合を示す注目度を、前記視線情報に基づいて算出する算出部と、を更に備え、
前記変更部は、前記表示領域毎の注目度に基づいて、前記レイアウトを変更する、
請求項１に記載のテレビ会議装置。
【請求項３】
前記変更部は、前記他のテレビ会議装置から送信された前記音声情報から取得された前記音量情報に基づいて、前記レイアウトを変更する、
請求項１に記載のテレビ会議装置。
【請求項４】
前記表示制御部は、前記音量情報とともに、前記音量情報の取得元の前記音声情報が取得された前記他のテレビ会議装置が設置された場所を示す場所情報を更に表示する、
請求項１乃至３のいずれか１項に記載のテレビ会議装置。
【請求項５】
前記表示制御部は、前記音量情報が示す音量の大きさに応じて、前記音量情報又は前記場所情報のうち、少なくともいずれか一方の表示形式を変更する、
請求項４に記載のテレビ会議装置。
【請求項６】
前記通信部は、面積が第１閾値以下である前記表示領域に表示される映像情報を送信する、前記他のテレビ会議装置に、送信対象の情報を前記映像情報から、前記音声情報に変更させる変更要求を送信する、
請求項１乃至５のいずれか１項に記載のテレビ会議装置。
【請求項７】
複数の場所に設置されたテレビ会議装置を備えるテレビ会議システムであって、
前記テレビ会議装置のそれぞれは、
映像情報を取得するカメラと、
音声情報を取得するマイクと、
前記音声情報が付加された前記映像情報を他の場所に設置された前記テレビ会議装置に送信し、表示部に表示される表示情報に含まれる複数の表示領域それぞれに表示される、前記音声情報が付加された前記映像情報を、前記他の場所に設置された前記テレビ会議装置から受信する通信部と、
前記表示情報に含まれる複数の表示領域のレイアウトを変更する変更部と、
前記音声情報から音量を示す音量情報を取得する音量情報取得部と、
前記表示領域の面積が第１閾値以下である前記表示領域に表示される前記映像情報に付加された前記音声情報の音量情報と、前記表示情報に含まれる複数の表示領域それぞれに表示される映像情報と、を前記表示部に表示する表示制御部と、
を備えるテレビ会議システム。
【請求項８】
映像情報を取得するカメラおよび音声情報を取得するマイクを備えるテレビ会議装置を、
前記音声情報が付加された前記映像情報を他のテレビ会議装置に送信し、表示部に表示される表示情報に含まれる複数の表示領域それぞれに表示される、前記音声情報が付加された前記映像情報を、前記他のテレビ会議装置から受信する通信部と、
前記表示情報に含まれる複数の表示領域のレイアウトを変更する変更部と、
前記音声情報から音量を示す音量情報を取得する音量情報取得部と、
前記表示領域の面積が第１閾値以下である前記表示領域に表示される前記映像情報に付加された前記音声情報の音量情報と、前記表示情報に含まれる複数の表示領域それぞれに表示される映像情報と、を前記表示部に表示する表示制御部、
として機能させるためのプログラム。
【発明の詳細な説明】
【技術分野】
【０００１】
本発明はテレビ会議装置、テレビ会議システム及びプログラムに関する。
【背景技術】
【０００２】
インターネット等のネットワークを介して映像を互いに送受信することにより、遠距離の拠点間であっても、相手方の様子を確認しながら会議を行うことができるテレビ会議システムが従来から用いられている。
【０００３】
特許文献１には、ユーザによる操作を必要とせずに、画面レイアウトを、注目度が高い映像を大きく表示し、注目度の低い映像を小さく表示する画面レイアウトに変更する発明が開示されている。
【発明の概要】
【発明が解決しようとする課題】
【０００４】
しかしながら従来の技術では、映像が表示される表示領域の面積が縮小され、他の表示領域の面積との差が大きくなった場合、会議が進行することにより再度、注目すべき映像となったときに、注目度が高い映像としてユーザに認識させることが難しかった。
【０００５】
本発明は、上記に鑑みてなされたものであって、映像が表示される表示領域の面積が縮小された場合でも、再度、注目すべき映像となったときに、注目度が高い映像としてユーザに認識させることができるテレビ会議装置、テレビ会議システム及びプログラムを提供することを目的とする。
【課題を解決するための手段】
【０００６】
上述した課題を解決し、目的を達成するために、本発明は、映像情報を取得するカメラと、音声情報を取得するマイクと、前記音声情報が付加された前記映像情報を他のテレビ会議装置に送信し、表示部に表示される表示情報に含まれる複数の表示領域それぞれに表示される、前記音声情報が付加された前記映像情報を、前記他のテレビ会議装置から受信する通信部と、前記表示情報に含まれる複数の表示領域のレイアウトを変更する変更部と、前記音声情報から音量を示す音量情報を取得する音量情報取得部と、前記表示領域の面積が第１閾値以下である前記表示領域に表示される前記映像情報に付加された前記音声情報の音量情報と、前記表示情報に含まれる複数の表示領域それぞれに表示される映像情報と、を前記表示部に表示する表示制御部と、を備える。
【発明の効果】
【０００７】
本発明によれば、映像が表示される表示領域の面積が縮小された場合でも、再度、注目すべき映像となったときに、注目度が高い映像としてユーザに認識させることができるという効果を奏する。
【図面の簡単な説明】
【０００８】
【図１】図１は実施形態のテレビ会議システムの構成の例を示す図である。
【図２】図２は実施形態のテレビ会議装置のハードウェア構成の例を示す図である。
【図３】図３は実施形態の本体部の機能構成の例を示す図である。
【図４】図４は実施形態の第１レイアウトの例を示す図である。
【図５】図５は実施形態の第１レイアウトの各表示領域の注目度の例を示す図である。
【図６】図６は実施形態の第２レイアウトの例を示す図である。
【図７】図７は実施形態の第２レイアウトの各表示領域の注目度の例を示す図である。
【図８】図８は実施形態のレイアウト変更方法の例を示すフローチャートである。
【発明を実施するための形態】
【０００９】
以下に添付図面を参照して、テレビ会議装置、テレビ会議システム及びプログラムの実施形態を詳細に説明する。
【００１０】
図１は実施形態のテレビ会議システムの構成の例を示す図である。実施形態のテレビ会議システム１００は、テレビ会議装置３００−１、テレビ会議装置３００−２、・・・、及びテレビ会議装置３００−Ｎ（Ｎは２以上の整数）を備える。以下、テレビ会議装置３００−１、テレビ会議装置３００−２、・・・、及びテレビ会議装置３００−Ｎを区別しない場合には、単にテレビ会議装置３００という。
【００１１】
テレビ会議装置３００−１、テレビ会議装置３００−２、・・・、及びテレビ会議装置３００−Ｎはネットワーク２００により接続されている。ネットワーク２００は有線方式でも無線方式でもよく、また有線方式と無線方式とが組み合わされていてもよい。
【００１２】
図２は実施形態のテレビ会議装置３００のハードウェア構成の例を示す図である。実施形態のテレビ会議装置３００は、カメラ１０、マイク１５、本体部２０、表示部３０及び検知装置４０を備える。
【００１３】
カメラ１０は、レンズ１１、画像センサ１２、映像処理部１３及び映像Ｉ／Ｆ１４を備える。レンズ１１は被写体が反射した光を集光する。画像センサ１２は、レンズ１１を介して入射した光を被写体の像として結像し、当該被写体の像を示すアナログ信号を映像処理部１３に入力する。画像センサ１２は、例えばＣＣＤ（Ｃｈａｒｇｅ  Ｃｏｕｐｌｅｄ  Ｄｅｖｉｃｅ）、及び、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等である。映像処理部１３は、画像センサ１２及びマイク１５から受け付けたアナログ信号を、音声情報が付加されたデジタルの映像情報に変換し、当該映像情報を映像Ｉ／Ｆ１４を介して本体部２０に送信する。映像Ｉ／Ｆ１４は本体部２０に音声情報が付加された映像情報を送信するためのインタフェースである。
【００１４】
マイク１５はテレビ会議装置３００の周囲の音を集音する。
【００１５】
本体部２０は、映像Ｉ／Ｆ２２、制御部２３、記憶部２４、スピーカー２５、通信Ｉ／Ｆ２６、視線情報入力Ｉ／Ｆ２７及び表示情報出力Ｉ／Ｆ２８を備える。映像Ｉ／Ｆ２２、制御部２３、記憶部２４、スピーカー２５、通信Ｉ／Ｆ２６、視線情報入力Ｉ／Ｆ２７及び表示情報出力Ｉ／Ｆ２８は、バス２１を介して接続されている。
【００１６】
映像Ｉ／Ｆ２２は、カメラ１０から音声情報が付加された映像情報を受信するためのインタフェースである。制御部２３はテレビ会議装置３００の動作を制御するプログラムを実行する。
【００１７】
記憶部２４は、カメラ１０から受信した音声情報が付加された映像情報、及び、制御部２３により実行されるプログラム等を記憶する。記憶部２４は、例えばＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、及び、ＳＳＤ（Ｓｏｌｉｄ  ｓｔａｔｅ  ｄｒｉｖｅ）等である。より具体的には、ＲＡＭは、制御部２３がプログラムを実行するときに生成される情報等を記憶する。ＲＯＭは、制御部２３により実行されるプログラム等を記憶する。ＳＳＤは、テレビ会議装置３００の電源を切っても保持する必要がある情報を記憶する。ＳＳＤにより記憶される情報は、例えばテレビ会議の録画情報、及び、テレビ会議装置３００の設定情報等である。
【００１８】
スピーカー２５は音を出力する。通信Ｉ／Ｆ２６はネットワーク２００に接続された相手方のテレビ会議装置３００等の他の装置と通信するためのインタフェースである。視線情報入力Ｉ／Ｆ２７はユーザの視線方向を示す視線情報を、検知装置４０から受信するためのインタフェースである。表示情報出力Ｉ／Ｆ２８は表示情報を表示部３０に表示するためのインタフェースである。
【００１９】
表示部３０は、本体部２０から受信した表示情報を表示する。表示部３０は、例えば液晶ディスプレイである。検知装置４０はユーザの視線方向を視線情報として検知する装置である。視線情報は、例えば表示部３０の画面上の位置を示す座標情報によりユーザの視線方向を示す。検知装置４０は、例えばアイトラッカである。
【００２０】
次に図３を参照して、拠点Ａ、拠点Ｂ及び拠点Ｃの間でテレビ会議を行う場合を例にしてテレビ会議装置３００の本体部２０の機能構成の例について説明する。なおテレビ会議システム１００では、インタラクティブにデータ通信が行われ、それぞれの拠点のテレビ会議装置３００でデータを送受信する。図３の説明では、拠点Ａのテレビ会議装置３００の本体部２０の動作を例にして説明する。
【００２１】
図３は実施形態の本体部２０の機能構成の例を示す図である。実施形態の本体部２０は、符号化部３１、通信部３２、復号化部３３、音量情報取得部３４、視線情報取得部３５、算出部３６、変更部３７及び表示制御部３８を備える。
【００２２】
符号化部３１は、カメラ１０から音声情報が付加された映像情報を受信すると、当該映像情報を符号化する。符号化部３１は、例えばＨ．２６４／ＡＶＣ又はＨ．２６４／ＳＶＣ等のエンコーダである。符号化部３１は、符号化された映像情報を通信部３２に入力する。
【００２３】
通信部３２は、符号化部３１から符号化された映像情報を受け付ける。通信部３２は当該符号化された映像情報を、ネットワーク２００を介して、拠点Ｂのテレビ会議装置３００−２、及び、拠点Ｃのテレビ会議装置３００−２に送信する。また通信部３２は、自端末の映像を表示部３０に表示する場合、当該符号化された映像情報を、復号化部３３及び音量情報取得部３４に入力する。
【００２４】
また通信部３２は、拠点Ｂのテレビ会議装置３００−２、及び、拠点Ｃのテレビ会議装置３００−３から、符号化された映像情報を受信すると、当該符号化された映像情報を、復号化部３３及び音量情報取得部３４に入力する。
【００２５】
復号化部３３は、通信部３２から符号化された映像情報を受け付けると、符号化された映像情報を復号化して映像情報を取得する。復号化部３３は、例えばＨ．２６４／ＡＶＣ又はＨ．２６４／ＳＶＣ等のデコーダである。復号化部３３は映像情報を表示制御部３８に入力する。
【００２６】
音量情報取得部３４は、通信部３２から符号化された映像情報を受け付けると、符号化された映像情報に付加された音声情報から音量情報を取得する。音量情報取得部３４は音量情報を表示制御部３８に入力する。
【００２７】
視線情報取得部３５は、検知装置４０から上述の視線情報を取得すると、当該視線情報を算出部３６に入力する。
【００２８】
算出部３６は、視線情報取得部３５から視線情報を受け付ける。算出部３６は表示情報に含まれる複数の表示領域それぞれについて、単位時間当たりに注目された度合を示す注目度を、視線情報に基づいて算出する。ここで図３の表示部３０に表示されている第１レイアウトの表示情報に含まれる複数の表示領域について説明する。
【００２９】
図４は実施形態の第１レイアウトの例を示す図である。第１レイアウトは、表示領域５１、表示領域５２及び表示領域５３を有する。表示領域５１は拠点Ｂの映像（人物４１の映像）を表示する。表示領域５２は自拠点Ａの映像（人物４３の映像）を表示する。表示領域５３は拠点Ｃの映像（人物４２の映像）を表示する。なお図４に示す第１レイアウトは一例であり、第１レイアウトは図４に示すレイアウトに限られない。実施形態の説明では、第１レイアウトをテレビ会議開始時のデフォルトレイアウトとして説明する。
【００３０】
図５は実施形態の第１レイアウトの各表示領域の注目度の例を示す図である。図５の例は、表示領域５１（拠点Ｂの映像）の注目度が８０％であり、表示領域５２（自拠点Ａの映像）の注目度が２０％であり、表示領域５３（拠点Ｃの映像）の注目度が０％である場合の例である。すなわち例えば単位時間が１０秒である場合、ユーザの視線が、１０秒間のうち、８秒間は表示領域５１に向けられ、２秒間は表示領域５２に向けられ、表示領域５３には向けられなかった場合の例である。
【００３１】
図３に戻り、算出部３６は複数の表示領域それぞれについて算出された注目度を示す注目度情報を、変更部３７に入力する。
【００３２】
変更部３７は、算出部３６から注目度情報を受け付ける。変更部３７は注目度情報が示す表示領域毎の注目度に基づいて、表示情報のレイアウトを変更する。レイアウトの変更方法は任意でよい。変更部３７は、表示領域の面積、及び表示位置等を変更することにより、表示情報に含まれる複数の表示領域のレイアウトを変更する。ここで第１レイアウトの各表示領域の注目度が図５に示す注目度である場合に、変更部３７が第１レイアウトを第２レイアウトに変更する場合の例について説明する。
【００３３】
図６は実施形態の第２レイアウトの例を示す図である。第２レイアウトは、表示領域６１、表示領域６２及び表示領域６３を有する。表示領域６１は拠点Ｂの映像（人物４１の映像）を表示する。拠点Ｂの映像の注目度が最も高かったため、拠点Ｂの映像を表示する第２レイアウトの表示領域６１は、拠点Ｂの映像を表示する第１レイアウトの表示領域５１よりも拡大されている。
【００３４】
表示領域６２は自拠点Ａの映像（人物４３の映像）を表示する。自拠点Ａの映像の注目度は２番目に高かったため、自拠点Ａの映像を表示する第２レイアウトの表示領域６２の面積は、自拠点Ａの映像を表示する第１レイアウトの表示領域５２の面積と同じである。
【００３５】
表示領域６３は拠点Ｃの場所情報及び音量情報（拠点Ｃの音量情報：２０［ｄＢ］）を表示する。拠点Ｃの映像の注目度は０％だったため、表示領域６３は表示領域５３よりも小さく表示される。表示領域６３では、拠点Ｃの映像は表示されずに、拠点Ｃの音量情報が表示される。これは後述の表示制御部３８が、表示領域の面積が第１閾値以下である場合は、当該表示領域に表示される映像情報に付加された音声情報の音量情報を表示する制御を行うためである。
【００３６】
なお図６に示す第２レイアウトは一例であり、第２レイアウトは図６に示すレイアウトに限られない。また表示領域の面積の具体的な決定方法は任意でよい。変更部３７は、例えば表示領域の注目度の比率と、表示部３０の画面全体の面積における当該表示領域の面積との比率、を対応させるようにして各表示領域の面積を決定してもよい。
【００３７】
図３に戻り、変更部３７は表示情報に含まれる複数の表示領域のレイアウトを示すレイアウト情報を表示制御部３８に入力する。
【００３８】
表示制御部３８は、復号化部３３から映像情報を受け付け、音量情報取得部３４から音量情報を受け付け、変更部３７から、表示情報に含まれる複数の表示領域のレイアウトを示すレイアウト情報を受け付ける。表示制御部３８は、表示領域の面積が第１閾値以下である表示領域に表示される映像情報に付加された音声情報の音量情報と、当該音量情報に対応する場所情報と、表示情報に含まれる複数の表示領域それぞれに表示される映像情報と、を表示部３０に表示する。当該音量情報に対応する場所情報は、音量情報の取得元の音声情報が取得された他のテレビ会議装置３００が設置された場所である。
【００３９】
なお表示制御部３８は音量情報を表示するときに、当該音量情報に対応する場所情報を表示しなくてもよい。
【００４０】
また第１閾値の値は任意でよい。第１閾値が十分に小さい場合は、図６に図示したように、表示制御部３８は、表示領域の面積が第１閾値以下である表示領域の映像情報を表示せずに、音量情報のみを表示するようにしてもよい。このとき、表示制御部３８は、通信部３２を介して、面積が第１閾値以下である表示領域に表示される映像情報を送信する他のテレビ会議装置３００に、送信対象の情報を音声情報が付加された映像情報から、音声情報に変更させる変更要求を送信してもよい。これによりネットワーク２００の通信負荷を下げることができる。
【００４１】
また表示制御部３８は、音量情報が示す音量の大きさに応じて、音量情報又は場所情報のうち少なくとも一方の表示形式を変更する。表示制御部３８は、例えば音量情報が示す音量が大きい程、音量情報又は場所情報を強調して表示する。音量情報又は場所情報を強調して表示する方法は任意でよい。表示制御部３８は、例えば音量情報又は場所情報の色、大きさ、及びフォント等を変更することにより音量情報又は場所情報を強調する。
【００４２】
ここで音量情報の色を変更する場合の例について説明する。音量情報が示す音量が０〜５０［ｄＢ］の場合、ほとんど独り言程度の声量なので、音量情報を青字で表示する。音量情報が示す音量が５０［ｄＢ］〜７０［ｄＢ］の場合、普通会話程度の声量なので黄色で表示する。音量情報が示す音量が７０［ｄＢ］〜の場合は、大声と同等の声量なので、赤字で表示する。これによりユーザが、表示領域の面積が第１閾値以下である表示領域の重要度を、当該表示領域に表示された音量情報から判断することができる。
【００４３】
次に第１閾値以下である表示領域が再度、ユーザにより注目される場合について、第２レイアウトの場合を例にして具体的に説明する。
【００４４】
図７は実施形態の第２レイアウトの各表示領域の注目度の例を示す図である。図７の例は、表示領域６１（拠点Ｂの映像）の注目度が６０％であり、表示領域６２（自拠点Ａの映像）の注目度が２０％であり、表示領域６３（拠点Ｃの映像）の注目度が２０％である場合の例である。すなわち例えば単位時間が１０秒である場合、ユーザの視線が、１０秒間のうち、６秒間は表示領域６１に向けられ、２秒間は表示領域６２に向けられ、２秒間は表示領域６３に向けられた場合の例である。
【００４５】
図７の表示領域６３の注目度について説明する。図７では、表示領域の面積が第１閾値以下である表示領域６３の音量情報が、２０［ｄＢ］（図６参照）から８０［ｄＢ］に上昇している。このとき表示制御部３８が、音量情報を強調して表示することにより、ユーザに表示領域６３を注目させることができる。図７の例では、注目度が０％だったため、表示領域５３から縮小された表示領域６３の注目度が、２０％に上昇している。これにより変更部３７は、表示情報のレイアウトを第２レイアウトから第１レイアウトに再度変更する。
【００４６】
次に実施形態のレイアウト変更方法の例について説明する。
【００４７】
図８は実施形態のレイアウト変更方法の例を示すフローチャートである。はじめに、表示制御部３８が、表示情報を表示する（ステップＳ１）。なおテレビ会議の開始時は、表示制御部３８は第１レイアウトの表示情報を表示する。次に、視線情報取得部３５が、所定の間隔（単位時間）で、検知装置４０から上述の視線情報を取得する（ステップＳ２）。単位時間は、例えば１０〜２０秒であるが、変更可能にしてもよい。しかしながら単位時間は、短すぎると注目度が正確に抽出できなかったり、必要以上に頻繁にレイアウトが変更されることによって会議の妨げになったりする可能性がある。逆に単位時間が長すぎるとレイアウトの変更処理が遅くなる。そのため単位時間は１０秒程度が適当である。
【００４８】
次に、算出部３６が、表示情報に含まれる複数の表示領域それぞれについて、単位時間当たりに注目された度合を示す注目度を、視線情報に基づいて算出する（ステップＳ３）。次に、変更部３７が、表示領域毎の注目度に基づいて、表示情報に含まれる複数の表示領域のレイアウトを変更する（ステップＳ４）。
【００４９】
次に、本体部２０が、テレビ会議の終了を示す操作入力を受け付けたか否かを判定する（ステップＳ５）。テレビ会議の終了を示す操作入力を受け付けた場合（ステップＳ５、Ｙｅｓ）、処理は終了する。
【００５０】
テレビ会議の終了を示す操作入力を受け付けていない場合（ステップＳ５、Ｎｏ）、表示制御部３８が、ステップＳ４により変更されたレイアウトに含まれる表示領域のうち、面積が第１閾値以下の表示領域があるか否かを判定する（ステップＳ６）。
【００５１】
第１閾値以下の表示領域がある場合（ステップＳ６、Ｙｅｓ）、表示制御部３８は、表示領域の面積が第１閾値以下である表示領域に、当該表示領域に表示される映像情報に付加された音声情報の音量情報と、当該音量情報に対応する場所情報とを、追加した後（ステップＳ７）、ステップＳ１の処理に戻る。第１閾値以下の表示領域がない場合（ステップＳ６、Ｎｏ）、ステップＳ７の処理を行わずにステップＳ１の処理に戻る。
【００５２】
以上説明したように、実施形態のテレビ会議装置３００は、表示制御部３８が、表示領域の面積が第１閾値以下である表示領域に表示される映像情報に付加された音声情報の音量情報と、表示情報に含まれる複数の表示領域それぞれに表示される映像情報と、を表示部３０に表示する。これにより実施形態のテレビ会議装置３００によれば、映像が表示される表示領域の面積が縮小された場合でも、再度、注目すべき映像となったときに、注目度が高い映像としてユーザに認識させることができる。
【００５３】
＜実施形態の変形例＞
次に実施形態の変形例について説明する。上述の実施形態では、変更部３７が、ユーザの視線方向を示す視線情報から算出された注目度に基づいて、表示情報に含まれる複数の表示領域のレイアウトを変更した。しかしながら変更部３７によるレイアウトの変更方法は、視線情報から算出された注目度に基づく変更方法に限られない。
【００５４】
変更部３７は、例えば音量情報に基づいて、表示情報に含まれる複数の表示領域のレイアウトを変更してもよい。例えば変更部３７が、音量情報取得部３４から、上述の音量情報を受け付け、当該音量情報が示す音量の大きさに応じて、表示情報に含まれる複数の表示領域の面積を変更してもよい。これにより実施形態の変形例のテレビ会議装置３００によれば、映像が表示される表示領域の面積が縮小された場合でも、当該表示領域に対応する音量情報が示す音量が大きくなることにより再度、注目すべき映像となったときに、当該表示領域を拡大することができる。
【００５５】
実施形態及び実施形態の変形例のテレビ会議装置３００（制御部２３）で実行されるプログラムは、インストール可能な形式又は実行可能な形式のファイルでＣＤ−ＲＯＭ、メモリカード、ＣＤ−Ｒ及びＤＶＤ（Ｄｉｇｉｔａｌ  Ｖｅｒｓａｔｉｌｅ  Ｄｉｓｋ）等のコンピュータで読み取り可能な記憶媒体に記録されてコンピュータ・プログラム・プロダクトとして提供される。
【００５６】
なお実施形態のテレビ会議装置３００で実行されるプログラムを、インターネット等のネットワークに接続されたコンピュータ上に格納し、ネットワーク経由でダウンロードさせることにより提供するように構成してもよい。また実施形態のテレビ会議装置３００で実行されるプログラムをダウンロードさせずにインターネット等のネットワーク経由で提供するように構成してもよい。
【００５７】
また実施形態のテレビ会議装置３００のプログラムを、記憶部２４のＲＯＭ等に予め組み込んで提供するように構成してもよい。
【００５８】
実施形態のテレビ会議装置３００で実行されるプログラムは、上述の図３の各機能ブロック（符号化部３１、通信部３２、復号化部３３、音量情報取得部３４、視線情報取得部３５、算出部３６、変更部３７及び表示制御部３８）を含むモジュール構成となっている。当該各機能ブロックは、実際のハードウェアとしては、制御部２３が、記憶部２４のＲＯＭ又は上記記憶媒体等からプログラムを読み出して実行することにより実現される。なお上述の各機能ブロックの一部又は全部を、ソフトウェアとハードウェアとを組み合わせて実現してもよいし、ソフトウェアにより実現せずに、ハードウェアにより実現してもよい。
【符号の説明】
【００５９】
１０  カメラ
１１  レンズ
１２  画像センサ
１３  映像処理部
１４  映像Ｉ／Ｆ
１５  マイク
２０  本体部
２１  バス
２２  映像Ｉ／Ｆ
２３  制御部
２４  記憶部
２５  スピーカー
２６  通信Ｉ／Ｆ
２７  視線情報入力Ｉ／Ｆ
２８  表示情報出力Ｉ／Ｆ
３０  表示部
３１  符号化部
３２  通信部
３３  復号化部
３４  音量情報取得部
３５  視線情報取得部
３６  算出部
３７  変更部
３８  表示制御部
４０  検知装置
１００  テレビ会議システム
２００  ネットワーク
３００  テレビ会議装置
【先行技術文献】
【特許文献】
【００６０】
【特許文献１】特開２０１４−０５００１８号公報
【図１】
2016096395.tif 000003
【図２】
2016096395.tif 000004
【図３】
2016096395.tif 000005
【図４】
2016096395.tif 000006
【図５】
2016096395.tif 000007
【図６】
2016096395.tif 000008
【図７】
2016096395.tif 000009
【図８】
2016096395.tif 000010